(57)【要約】【課題】従来の電子機器においては、外装を構成する筐体に対して蓋体が取り外し可能に構成されている場合には、開口部を開放するために蓋体を取り外すと、その蓋体を紛失するおそれがある。【解決手段】内蔵されたアクセサリーシュー５８を露出させる開口部５７を有する外装ケース２と、開口部を開閉可能なシューカバー５１と、そのシューカバーを、開口部の閉鎖位置と開放位置との間に移動可能とした蓋体ガイド機構と、を備えている。蓋体ガイド機構は、開口部５７を挟むように平行に配置された一対のガイドレール６１，６２と、シューカバー５１に形成された一対のフック部７４，７５と、シューカバー５１の移動量を制限するストッパ部材５４と、を設けた。一対のフック部７４，７５は、一対のガイドレール６１，６２に摺動可能に係合される。【選択図】図８
2010156827.tif 000002
【特許請求の範囲】
【請求項１】
内蔵された構造体を露出させるための開口部を有する筐体と、
前記開口部を開閉可能な蓋体と、
前記蓋体を、前記開口部を閉じる閉鎖位置と前記開口部を開く開放位置との間に移動可能とした蓋体ガイド機構と、を備え、
前記蓋体ガイド機構は、
前記開口部を挟むように所定間隔をあけて平行に配置されて前記筐体に設けられた一対のガイドレールと、
前記一対のガイドレールに摺動可能に係合されると共に前記蓋体に設けられた一対のレール受部と、
前記筐体に設けられ且つ前記蓋体の移動量を制限するストッパ部と、を有する
電子機器。
【請求項２】
前記一対のガイドレールは、互いに離反する方向又は向き合う方向に突出し且つ延在する方向に連続するレール突条部を有し、
前記一対のレール受部は、互いに向き合う方向又は離反する方向に突出し且つ延在する方向に連続するフック突条部を有する
請求項１記載の電子機器。
【請求項３】
前記一対のガイドレールの長さと前記一対のレール受部の長さの比を、略３対１に設定した
請求項２記載の電子機器。
【請求項４】
前記筐体は位置決め突起を有し、
前記蓋体に、前記開口部を開いた開放位置では前記位置決め突起との係合が解除され、前記開口部を閉じた閉鎖位置において前記位置決め突起と係合されるロック部を設けた
請求項１記載の電子機器。
【請求項５】
前記蓋体及び前記筐体の一方には板ばねを設け、前記蓋体及び前記筐体の他方には、前記板ばねに摺動接触される摺動抵抗突部を設けた
請求項１記載の電子機器。
【請求項６】
前記蓋体の前記一対のレール受部の間に補強フック部を設け、
前記筐体に、前記補強フック部と摺動可能に係合される補助レールを設けた
請求項１記載の電子機器。
【請求項７】
前記電子機器は、デジタルカメラやビデオカメラ等の撮像装置である
請求項１記載の電子機器。
【請求項８】
前記構造体は、アクセサリーシューである
請求項１記載の電子機器。
【発明の詳細な説明】
【技術分野】
【０００１】
本発明は、デジタルカメラやビデオカメラ等の撮像装置、テレビジョン受像機、パーソナルコンピュータ、音響装置その他の電子機器の筐体に設けた開口部を開閉可能とした蓋体構造に関し、特に、蓋体が筐体に対して移動可能に構成された電子機器に関する。
【背景技術】
【０００２】
従来の、この種の電子機器としては、例えば、特許文献１に記載されているようなものがある。特許文献１には、アクセサリーシュー装置及び電子機器並びにアクセサリーに関するものが記載されている。この特許文献１に係る電子機器は、電源用又は信号授受用の接片を有する電子機器側コネクタを備えた電子機器に関する。電子機器側コネクタは、電子機器に装着されるアクセサリーに設けられ電源用又は信号授受用の接片を有するアクセサリー側コネクタが挿入され、かつ、その挿入方向と直交する方向に移動される空間部を備えている。空間部の底部を形成する電子機器側コネクタの箇所には、移動される方向と直交する方向において互いに向かい合い移動される方向に延在する一対のコネクタ側ガイド面が設けられている。そして、電子機器側コネクタの接片は、空間部の底部で一対のコネクタ側ガイドの間の箇所に、移動される方向と直交する方向に複数並べられて設けられている。
【０００３】
このような構成を有する電子機器（以下「第１の従来例」という）によれば、一対のアクセサリーガイド面の間に設けられた複数の接片と、一対のコネクタ側ガイド面の間に設けられた複数の接片とを有している。これら複数の接片を設けたことにより、複数の接片が接触される際の各接片の配列方向における相対的な位置決めを高精度に行うことができる。従って、アクセサリー側コネクタの複数の接片と電子機器側コネクタの複数の接片との接続を確実に行いつつ、各接片の幅や接片間の間隔を縮小することができる。そのため、接片の占有スペースを縮小することができ、アクセサリー側コネクタと電子機器側コネクタの小型化を図る上で有利となる、等の効果が期待される（明細書の段落［０００５］を参照）。
【０００４】
また、従来の電子機器の他の例としては、例えば、特許文献２に記載されているようなものもある。特許文献２には、アクセサリーが装脱可能に装着される電子機器に関するものが記載されている。この特許文献２に係る電子機器は、外装を構成するケースと、そのケースに設けられ電源用又は信号授受用の接片を有する電子機器側コネクタとを有する電子機器に関する。ケースに電子機器側コネクタを収容する収容凹部が設けられ、その収容凹部に電子機器側コネクタが収容され、その収容凹部を開閉する蓋体が設けられている。
【０００５】
このような構成を有する電子機器（以下「第２の従来例」という）によれば、蓋体によって収容凹部が閉塞された状態では、電子機器側コネクタがケースの外面に露出しない。そのため、ビデオカメラの外部にある物が電子機器側コネクタにぶつかったり、塵埃が電子機器側コネクタに付着したりすることを防止でき、電子機器側コネクタを保護する上で有利となる、等の効果が期待される（明細書の段落［０００５］を参照）。
【０００６】
しかしながら、第１の従来例の場合には、外装を構成するケースの上面前部に凹部が設けられ、その凹部内に電子機器側コネクタが配設されている。この凹部は、着脱可能とされた蓋によって開閉自在とされている。これにより、電子機器側コネクタの非使用時には凹部に蓋を装着することで電子機器側コネクタが覆われ、電子機器側コネクタの使用時に凹部から蓋を取り外すことにより電子機器側コネクタが露出されるようになっている。その結果、蓋がケースと別個独立に形成されていて、蓋とケースが分離自在な構成となっているため、凹部から蓋を取り外すと、取り外した蓋を紛失し易いという問題があった。
【０００７】
また、第２の従来例の場合には、ケースに対して蓋体が取り外し不能に取着されているため、蓋体の紛失を防止できるという利点はある。しかしながら、結合部で支持軸を支持することによって蓋体がケースに旋回自在に取り付けられているため、凹部の開放時、ケースの外面に蓋体が無秩序に突出され、美観の点から見映えが良くないという問題があった。
【特許文献１】特開２００５−３１５９８９号公報
【特許文献２】特開２００６−１７９３９３号公報
【発明の開示】
【発明が解決しようとする課題】
【０００８】
解決しようとする問題点は、従来の電子機器においては、外装を構成する筐体に対して蓋体が取り外し可能に構成されている場合には、開口部を開放するために蓋体を取り外すと、その蓋体を紛失するおそれがある。また、筐体に対して蓋体を取り外し不能に構成したとしても、その蓋体が旋回自在に取り付けられていると、蓋体が邪魔になると共に、美観の点からも見映えが良くない、という点である。
【課題を解決するための手段】
【０００９】
本出願の電子機器は、内蔵された構造体を露出させるための開口部を有する筐体と、開口部を開閉可能な蓋体と、その蓋体を、開口部を閉じる閉鎖位置と開口部を開く開放位置との間に移動可能とした蓋体ガイド機構と、を備えている。蓋体ガイド機構は、一対のガイドレールと一対のレール受部とストッパ部と、を有する。一対のガイドレールは、開口部を挟むように所定間隔をあけて平行に配置されて筐体に設けられている。一対のレール受部は、一対のガイドレールに摺動可能に係合されると共に蓋体に設けられている。ストッパ部は、筐体に設けられ且つ蓋体の移動量を制限する。
【発明の効果】
【００１０】
本出願の電子機器によれば、蓋体をハードカバーとすることによって質感を高め、蓋体の品位を向上させることができると共に、その蓋体をスライドさせることによって構造物を開口部から露出させたり覆ったりすることができる。更に、蓋体で開口部を覆った閉鎖位置において、蓋体のガタツキを無くして振動の発生を防止し、蓋体の閉じた状態を確実に保持することができる。
【発明を実施するための最良の形態】
【００１１】
蓋体をスライドさせることによって筐体の開口部を開閉できると共に、開口部を閉じた状態（閉鎖位置）において蓋体をしっかりと固定することができる蓋体開閉機構を、簡単な構成によって実現した。
【実施例１】
【００１２】
図１〜図６は、本発明が適用された電子機器の一具体例を示す撮像装置の第１の実施の例として適用したデジタルビデオカメラの図である。図７〜図２４は、図１等に示したデジタルビデオカメラに係るシューカバー組立体の図である。図２５〜図２８は、図７等に示したシューカバー組立体に係るトップパネルの図である。図２９は、図７等に示したシューカバー組立体に係るシューカバーの図である。図３０は、図７等に示したシューカバー組立体に係る化粧板の図である。図３１は、図７等に示したシューカバー組立体に係るストッパ部材の図である。
【００１３】
図１〜図６に示すように、本実施例に係るデジタルビデオカメラ１は、プラスチックカードの中にＣＰＵ、メモリ等のＬＳＩを内蔵した半導体記憶媒体（例えば、メモリカード等）を情報記憶媒体として用い、その情報記憶媒体を着脱自在に構成したものである。そして、レンズ装置を介して入力される被写体の光学的な画像を撮像素子で電気信号に変換し、その信号に基づき表示装置で画像表示し、若しくは情報記憶媒体に記録し、或いは、予め情報記憶媒体に記録されている情報を表示装置に表示できるようにしている。
【００１４】
しかしながら、本発明に係る撮像装置としては、この記録方式のデジタルビデオカメラ１に限定されるものではなく、アナログ記録方式であってもよく、また、二以上の情報記憶装置を備えたビデオカメラであってもよいことは勿論である。例えば、第１の記憶装置として半導体記憶媒体を内蔵記憶装置として用い、第２の記憶装置としてディスク状記録媒体やテープ状記録媒体或いは別の半導体記憶媒体を着脱可能に設ける構成とすることもできる。なお、撮像素子としては、例えば、ＣＣＤ（電荷結合素子）やＣＭＯＳ（相補性金属酸化膜半導体）等を挙げることができる。
【００１５】
デジタルビデオカメラ１は、筐体の一具体例を示す外装ケース２と、レンズ装置３と、表示装置４と、これらを駆動制御する図示しない制御装置等を備えて構成されている。半導体記憶媒体は、外装ケース２に対して着脱可能に構成されていて、外装ケース２に装着された半導体記憶媒体に対して、制御装置が情報信号の記録（書き込み）や再生（読み出し）を実行する。レンズ装置３は、被写体の画像を光として取り込んで撮像素子に供給し、その撮像素子から出力される電気信号により、撮像された画像が表示装置４に画面表示され或いは記憶装置に記憶される。
【００１６】
図１〜図６に示すように、外装ケース２は、略筒型をなす中空の容器体からなり、軸方向を前後方向に設定して用いられている。この外装ケース２の前部に、略同様の太さを有する円筒状のレンズ装置３が配設されている。レンズ装置３は、そのレンズ系の光軸を水平方向に向けた状態で外装ケース２に取り付けられている。この外装ケース２の内部において、レンズ装置３の後部に、図示しない撮像素子が配置されている。
【００１７】
レンズ装置３は、外装ケース２の前部に固定された固定鏡筒５と、可動鏡筒６と、レンズ系７と、フラッシュ装置８等によって構成されている。レンズ装置３の可動鏡筒６は、固定鏡筒５に対して軸方向へ進退移動可能に支持されている。これら固定鏡筒５及び可動鏡筒６により、複数のレンズの組み合わせからなるレンズ系７が保持されている。フラッシュ装置８は、固定鏡筒５の外周面の一方の側部に横置き状態で固定されており、フラッシュモードにおいて、図示しないシャッタ機構の動作に連動して発光するようになっている。
【００１８】
外装ケース２の一方の側面には、表示装置４が姿勢変更可能に取り付けられている。表示装置４は、平板状の液晶ディスプレイや有機ＥＬディスプレイ等からなる平面表示パネル９と、この平面表示パネル９が収納されたパネルケース１０とを備えている。そして、パネルケース１０がパネル支持部１１によって外装ケース２に姿勢変更可能に支持されている。パネルケース１０は、略直方体をなす偏平で中空の蓋体からなり、外装ケース２の一方の側面と対向する面に、平面表示パネル９の表示面を露出させるための開口窓１２が設けられている。
【００１９】
パネルケース１０の開口窓１２は、長手方向に延在された長方形の開口穴からなり、この開口窓１２を囲う四辺が四角形のケース枠１０ａとなっている。このパネルケース１０のケース枠１０ａの、パネル支持部１１と反対側に、平面表示パネル９に表示されている機能やその他の動作を実行するために操作される複数の操作ボタンからなるパネル側の操作ボタン群１３が配設されている。操作ボタン群１３の操作ボタンとしては、例えば、録画用のスタート・ストップボタン、ズームレンズ用のズームボタン（ワイド側ボタンとテレ側ボタン）等を挙げることができる。
【００２０】
パネル支持部１１は、パネルケース１０を前後方向へ回動させる前後回動部と、パネルケース１０を旋回動作させる旋回回動部とを有している。パネル支持部１１の前後回動部は、その垂直軸を回動中心としてパネルケース１０を水平方向に略９０度回動させることを可能とした機構部である。また、旋回回動部は、その水平軸を回動中心としてパネルケース１０を略２７０度旋回させることを可能とした機構部である。これにより、表示装置４は、パネル支持部１１の前後回動部の機能を介して、図３〜６に示すパネルケース１０を外装ケース２の側面に沿わせた収納状態と、図２に示すパネルケース１０を水平方向の前側に回動させて側方に展開させた状態とを取ることができる。
【００２１】
更に、表示装置４は、パネル支持部１１の旋回回動部の機能を介して、平面表示パネル９を前方に向けた状態と、後方に向けた状態と、下方に向けた状態と、これらの間の任意の方向に向けた状態とを無段階に取ることができる。即ち、パネルケース１０は、一方では、図２に示す状態からパネルケース１０を前方へ１８０度回動させて平面表示パネル９を前面に対向させた姿勢を取ることができる。そして、他方では、図２に示す状態からパネルケース１０を後方へ９０度回動させて平面表示パネル９を下面に対向させた姿勢を取ることができる。これにより、パネルケース１０は、旋回回動部による旋回動作に関しては、最大で約２７０度回動可能となっている。
【００２２】
図２に示すように、外装ケース２の一方の側面には、表示装置４が出し入れ可能に収納されるベース部１５が設けられている。ベース部１５は、パネルケース１０の外形に見合う略長方形をなす膨出部として形成されており、その内部には中空の空間部が設けられている。このベース部１５の空間部内には、図示しない制御装置が収納されており、その制御装置は、所定の配線回路が設けられた配線基板と、その配線基板に搭載されたＣＰＵやＬＳＩその他の必要とされる電子部品等からなっている。
【００２３】
更に、ベース部１５の平面表示パネル９と対向する面には、複数の操作ボタンからなる本体側の操作ボタン群１６と、複数のマウントインシュレータ１７と、記憶媒体収納部１８と、多数の透孔１９等が設けられている。操作ボタン群１６の操作ボタンとしては、例えば、バックライトボタン、リセットボタン、ナイトショット切換スイッチ等を挙げることができる。マウントインシュレータ１７は、パネルケース１０の内面がベース部１５の面に直接接触するのを防止するものでゴム状弾性体によって形成されている。
【００２４】
記憶媒体収納部１８は、外部記憶装置である半導体記憶媒体を着脱自在に収納することができるもので、後方に開口されている。この記憶媒体収納部１８に対して、図示しない半導体記憶媒体が出し入れ可能に収納され、所望の情報の記録や再生に供される。また、ベース部１５の多数の透孔１９の内側には、図示しないスピーカ装置が収納されており、これらの透孔１９から、内蔵されたスピーカ装置の音が放出される。
【００２５】
また、図１、図４及び図５に示すように、外装ケース２は、その略全体がデジタルビデオカメラ１を片手で把持できるように把持部として構成されている。そして、外装ケース２を把持する手を補助するためのハンド固定具２１が、外装ケース２の表示装置４と反対側の側面部に取り付けられている。ハンド固定具２１は、前後方向へ架け渡すように外装ケース２に取り付けられたハンドベルト２２と、このハンドベルト２２に装着されたハンドパッド２３を有している。これらハンドベルト２２とハンドパッド２３で外装ケース２を握るユーザーの手を支えることにより、デジタルビデオカメラ１の取り落とし等を防止している。
【００２６】
図１〜図６に示すように、外装ケース２は、ベース部１５を形成するベースパネル２５と、ハンドパネル２６とフロントパネル２７とトップパネル２８とリアパネル２９等によって構成されている。ハンドパネル２６は、ベースパネル２５と横並びに配置されていて、両側面パネルの下面片によってボトムパネルが構成されている。フロントパネル２７は側面パネルの前側に配置され、トップパネル２８は上側に配置され、リアパネル２９は後側に配置され、これらのパネルを組み合わせて一体化させることにより外装ケース２が構成されている。そして、この外装ケース２の内部に、レンズ装置３や制御装置等が収納されている。
【００２７】
ハンドパネル２６の上面には、レンズ装置３をズーム動作させるためのレバースイッチからなるズームレバー３１と、被写体を１コマ毎（静止画）に撮影するための押しボタンスイッチからなるシャッタボタン３２が配置されている。ズームレバー３１は、所定の範囲内で画像を連続的に拡大（テレ）又は縮小（ワイド）させるものである。このズームレバー３１とシャッタボタン３２は、ズームレバー３１を前側にして、縦並びに配置されている。
【００２８】
リアパネル２９の略中央部には、電源の一具体例を示すバッテリー４０が着脱可能に装着されるバッテリーホルダ４１が、図示しない固定ネジにより締め付けられて固定されている。このバッテリーホルダ４１は、外装ケース２の一部を成すもので、バッテリー４０に対応した大きさを有するバッテリー収納部４２が設けられている。このバッテリーホルダ４１は、リアパネル２９の開口部を閉じるように装着されており、バッテリー収納部４２の内部にはバッテリー４０の端子部に接続される接続端子が設けられている。
【００２９】
更に、リアパネル２９のバッテリー収納部４２の側方には、電源をオン・オフする電源スイッチ３３と、動画撮影を実行する録画ボタン３４が配置されている。録画ボタン３４は電源スイッチ３３の上側に配置されており、電源スイッチ３３の下側には直流用接続端子が配置され、その接続端子が端子カバー３５によって開閉可能に覆われている。
【００３０】
トップパネル２８は、図２５〜図２８に示すような構成を有しており、このトップパネル２８に、蓋体の第１の実施の例を示すシューカバー５１と化粧板５２とストッパ部材５３とを取り付けることによってシューカバー組立体５０が構成されている。このシューカバー組立体５０により、外装ケース２の上面部が構成されている。
【００３１】
図２５〜図２８に示すように、トップパネル２８は、外装ケース２の前側に配置されるパネル本体２８ａと、外装ケース２の後側に配置されるレール枠体２８ｂと、ハンドパネル２６の開口部を塞ぐことができる閉鎖面部２８ｃと、を有している。パネル本体２８ａは、上方に凸となる緩やかな曲面が前後方向に連続した曲面部を有する樋状の部材からなり、このパネル本体２８ａの幅方向の一側に閉鎖面部２８ｃが一体に設けられている。閉鎖面部２８ｃは、ハンドパネル２６の形状に対応して上方へ折り返すように形成されている。このパネル本体２８ａの長手方向の一側である背面側にレール枠体２８ｂが連続されている。そして、パネル本体２８ａとレール枠体２８ｂと閉鎖面部２８ｃとは、射出成形等の成形手段によって一体に形成されている。
【００３２】
このトップパネル２８のレール枠体２８ｂに対してシューカバー５１が、前後方向へ所定の範囲内で摺動可能に取り付けられている。そして、表面の凹凸を覆い隠し、外観上の見栄えを良くする等を目的として、パネル用化粧板５２がパネル本体２８に装着され、カシメ等の固着手段によって一体的に構成されている。同じく、表面の凹凸を覆い隠し、外観上の見栄えを良くする等を目的として、カバー用化粧板５３がシューカバー５１に装着され、カシメ等の固着手段によって一体的に構成されている。
【００３３】
これらの化粧板５２，５３は、本願発明が成立するためには、無くてもよいものである。しかしながら、機械構造部品として使用される一般的なエンジニアリングプラスチックは、適度な強度を有し且つ加工性も良好ではあるが、表面上の質感等において金属の持つ重厚感に及ばないものが多い。そのため、一般的なエンジニアリングプラスチックでは、外観上から十分な高級感が得られない傾向にあった。そこで、これらの対策として、前記化粧板を使用している。化粧板の材質としては、例えば、アルミニウム合金を用いることができるが、その他の金属を用いても良く、また、重厚な質感が得られるエンジニアリングプラスチックを用いることもできる。
【００３４】
更に、本実施例の場合、パネル用化粧板５２は、パネル本体２８ａの前側部分に設けたマイク収納部を覆い隠すという役割りを兼ね備えている。マイク収納部は、パネル本体２８ａの前側部分において上下方向へ貫通するように設けられており、そのマイク収納部に複数のマイクロホンが収納されている。このマイク収納部に対応して、パネル用化粧板５２の対応する部位には、多数の微細な通気孔からなる音声入力部５５が設けられている。この音声入力部５５を有するパネル用化粧板５２でパネル本体２８ａの上面を覆うことにより、マイクロホンの集音機能を確保しつつ、表面に金属色のような色彩を呈して高級感を付与している。
【００３５】
また、カバー用化粧板５３は、長穴や長溝を覆い隠す他に、表面に金属色の光沢を呈して高級感を発揮させるという機能を有している。即ち、シューカバー５１は、後述するように、断面形状がＬ字形をなすレール部や板ばねを有している。そのため、これらレール部や板ばねを射出成形によって形成するためには必然的に長穴や長溝が必要となり、表面に多数の凹凸が形成されてしまう。そこで、カバー用化粧板５３でシューカバー５１の上面を覆うことにより、シューカバー５１の凹凸を見えなくしつつ、表面に金属色の光沢を発揮させて高級感を付与している。
【００３６】
図２６〜図２８に示すように、トップパネル２８のレール枠体２８ｂは、前後方向に延在された長方形のデッキ状部分からなり、その前側部分に、内蔵された構造体を露出させるための矩形とされた開口部５７が設けられている。この実施例で示す構造物としては、フラッシュ装置等の付属装置が着脱可能に取り付けられるアクセサリーシュー５８を適用した。従って、この実施例で示す開口部５７は、アクセサリーシュー５８を露出させるために長方形に開口された穴である。この開口部５７を左右両側から挟むように一対のガイドレール６１，６２がレール枠体２８ｂに一体に設けられている。
【００３７】
一対のガイドレール６１，６２は、互いに平行をなして前後方向に延在されている。各ガイドレール６１，６２は、互いに離反する側方に突出し且つその突部が前後方向に連続する突条部６１ａ，６２ａを有している。更に、レール枠体２８ｂには、各突条部６１ａ，６２ａに対向され且つ所定間隔をあけて同じく側方に突出する平面部６１ｂ，６２ｂが設けられている。一対の平面部６１ｂ，６２ｂのうち、第１平面部６１ｂのパネル本体２８ａと反対の自由端側は所定の長さで削除されている一方、第２平面部６２ｂの自由端側には規制部としての側面壁６３が設けられている。
【００３８】
これにより、第１ガイドレール６１の第１突条部６１ａと第１平面部６１ｂとによって囲まれた第１ガイド空間部６４が、閉鎖面部２８ｃと反対側の側方に開口されている。また、第２ガイドレール６２の第２突条部６２ａと第２平面部６２ｂとによって囲まれた第２ガイド空間部６５が、閉鎖面部２８ｃ側の側方に開口されている。そして、第２ガイド空間部６５は、側面壁６３の部分において、側方への抜け出しが防止され、上方に開口されている。更に又、レール枠体２８ｂの自由端側の上面には、前後方向に延在された補助レール６６と抜け止め突条６７とが所定の隙間をあけて平行に設けられている。
【００３９】
補助レール６６の上端には、抜け止め突条６７側に突出する補助突条部６６ａが設けられている。これにより、補助レール６６の補助突条部６６ａと抜け止め突条６７とによって囲まれた断面形状がＬ字状をなす補助ガイド空間部６８が上方に開口されている。また、補助レール６６の前端部には摺動抵抗突部７１が設けられ、補助レール６６の後端部には位置決め突起７２が設けられている。摺動抵抗突部７１と位置決め突起７２は、補助レール６６の補助突条部６６ａと反対側に偏倚されて設けられている。そして、位置決め突起７２は、レール枠体２８ｂの後端から方向へ突出するように形成されている。
【００４０】
図２９Ａ〜２９Ｄに示すように、シューカバー５１は、レール枠体２８ｂの形状・構造に対応した形状・構造を有している。シューカバー５１は、レール枠体２８ｂより少し大きく、パネル本体２８ａと同様の曲面形状を有する略四角形をなす板体として形成されている。このシューカバー５１は、前側となる前面部５１ａと、この前面部５１ａの後方に連続された後面部５１ｂとを有しており、前面部５１ａの上面に化粧板５３が装着されている。
【００４１】
シューカバー５１の前面部５１ａには、第１フック部７４と第２フック部７５と補強フック部７６と板ばね部７７と補強リブ部７８と支持リブ部７９がそれぞれ前後方向に延在されて設けられている。これら第１フック部７４と第２フック部７５と補強フック部７６と板ばね部７７と補強リブ部７８と支持リブ部７９とは、それぞれの前部を略揃えるように配置されている。そして、第１フック部７４は幅方向の一側に配置され、第２フック部７５は幅方向の他側に配置されている。
【００４２】
補強フック部７６は略中央部において第１フック部７４側に配置され、板ばね部７７は略中央部において第２フック部７５側に配置されている。そして、補強フック部７６と板ばね部７７との間に所定の隙間が設けられ、板ばね部７７と第２フック部７５との間に補強リブ部７８と支持リブ部７９が所定の隙間をあけて配置されている。第１フック部７４の長さＮ１と第２フック部７５の長さＮ２は同程度の長さに設定されており、両フック部７４，７５の２倍程度の長さに補強フック部７６の長さＭ１と板ばね部７７の長さＭ２が設定されている。
【００４３】
シューカバー５１の前面部５１ａから後面部５１ｂまでの全長Ｌは、第１フック部７４及び第２フック部７５の長さＮ１，Ｎ２の３倍程度に設定されている。また、補強リブ部７８は前面部５１ａの前端から後面部５１ｂの後端まで延在され、支持リブ部７９は第２フック部７５の後端から後面部５１ｂの後端まで延在されている。そして、後面部５１ｂの後端であって板ばね部７７の略延長線上にロック部８１が設けられている。このロック部８１は、位置決め突起７２が着脱可能に挿入される凹部として形成されている。
【００４４】
第１フック部７４の先端には、第２フック部７５側に突出するフック側の第１突条部７４ａが設けられている。この第１突条部７４ａは、レール枠体２８ｂの第１ガイド空間部６４に摺動可能に係合される。第２フック部７５の先端には、第１フック部７４側に突出するフック側の第２突条部７５ａが設けられている。この第２突条部７５ａは、レール枠体２８ｂの第２ガイド空間部６５に摺動可能に係合される。そして、第２突条部７５ａが側面壁６３と重なり合うところから、支持リブ部７９がレール側の第２突条部６２ａと摺動接触するように構成されている。
【００４５】
補強フック部７６の先端には、第２フック部７５側に突出するフック側の補強突条部７６ａが設けられている。この補強突条部７６ａは、レール枠体２８ｂの補助ガイド空間部６８に摺動可能に係合される。板ばね部７７は、長手方向中間部の剛性を高く設定し、その長手方向両端の連結部の剛性を低くすることにより、全体としてばね性を持たせることによって板ばね状に形成されている。この板ばね部７７の内側にレール枠体２８ｂの摺動抵抗突部７１が摺動可能に接触される。
【００４６】
この摺動抵抗突部７１と板ばね部７７との間に生じる摺動摩擦抵抗により、シューカバー５１が移動する際の抵抗感を生じさせている。そして、板ばね部７７の、剛性の高い中間部の両端における段部により、シューカバー５１が全閉となるとき及び全開となるときの、それぞれにおいてクリック感を生じさせるように構成している。そして、シューカバー５１の全閉時において、位置決め突起７２がロック部８１に嵌合され、これにより、シューカバー５１にガタツキを生じることなく開口部５７を閉じることができるようになっている。また、第１フック部７４及び第２フック部７５の長さＮ１，Ｎ２を、シューカバー５１の長さＬの略１／３程度に設定したことにより、適度な抵抗感を生じさせてシューカバー５１をスムースにスライド動作させることができるようになった。
【００４７】
また、トップパネル２８のレール枠体２８ｂの後端部には、シューカバー５１の抜け出しを防止するためのストッパ部の一具体例を示すストッパ部材５４が取り付けられている。ストッパ部材５４は、図３１Ａ〜３１Ｆに示すような構成を有している。即ち、ストッパ部材５４は、レール枠体２８ｂの後端面に対向させて取り付けられる主面部５４ａと、この主面部５４ａの長手方向の両側に連続して設けられた第１固定部５４ｂ及び第２固定部５４ｃを有している。２つの固定部５４ｂ，５４ｃは、ストッパ部材５４をレール枠体２８ｂの下面に固定するために設けたもので、各固定部５４ｂ，５４ｃには位置決め孔８３ａ，８３ｂとカシメ孔８４ａ，８４ｂとが設けられている。
【００４８】
ストッパ部材５４の第１固定部５４ｂの側方には、レール枠体２８ｂの第１平面部６１ｂに設けた切欠き部に係合される張出し部８５が設けられている。この張出し部８５は、シューカバー５１の第１フック部７４が開放端まで移動できるようにして、開口部５７を全開状態にできるようにするために設けたものである。なお、ストッパ部材５４の主面部５４ａの第１固定部５４ｂ側には、レール枠体２８ｂの端部を挟み込む挟持爪８６が設けられている。
【００４９】
このストッパ部材５４をレール枠体２８ｂに組み立てると、２つの固定部５４ｂ，５４ｃがレール枠体２８ｂの下面に配置され、主面部５４ａがレール枠体２８ｂの端面部に配置される。この主面部５４ａによってレール枠体２８ｂの第１ガイド空間部６４と第２ガイド空間部６５の後端が閉じられ、これにより、第１フック部７４と第２フック部７５の抜け出しを防止するように構成している。
【００５０】
カバー用化粧板５３は、図３０Ａ〜３０Ｃに示すような構成を有している。化粧板５３は、平面形状がシューカバー５１の前面部５１ａに対応した形状を有し、薄い金属製の板材によって形成されている。化粧板５３の材質としては、例えば、アルミニウム合金やステンレス合金等が好適であるが、エンジニアリングプラスチックを用いることもできる。この化粧板５３は、一般的には接着剤を用いてシューカバー５１に固定されるが、ねじを用いて固定するようにしてもよい。
【００５１】
トップパネル２８及びシューカバー５１の材質としては、例えば、ＡＢＳ（アクリロニトリル・ブタジエン・スチレン樹脂）＋ＰＣ（ポリカーボネート）が好適であるが、その他のエンジニアリングプラスチックを用いることができることは勿論である。また、ストッパ部材５４の材質としては、例えば、ＡＢＳやＰＣ、ＰＯＭ（ポリアセタール）その他のエンジニアリングプラスチックを用いることができる。
【００５２】
前述したような部材の組合せによって構成されるシューカバー組立体５０は、例えば、次のようにして組み立てることができる。まず、図２５〜図２８に示すように、トップパネル２８のパネル本体２８ａに化粧板５２に装着する。この場合、図１３、図２１及び図２２に示すように、パネル本体２８ａのマイク収納部５９には所定のマイクロホン６０を収納しておくようにする。
【００５３】
次に、トップパネル２８のレール枠体２８ｂにシューカバー５１を装着する。このとき、シューカバー５１の第１フック部７４を第１ガイド空間部６４に位置合わせし、第２フック部７５を第２ガイド空間部６５に位置合わせすると共に、補助フック部７６を補助ガイド空間部６８に位置合わせする。これらを位置合わせした状態でシューカバー５１を、第１ガイドレール６１及び第２ガイドレール６２に沿ってパネル本体２８ａ側へ押し込むことにより、シューカバー５１をトップパネル２８に組み立てることができる。
【００５４】
この際、シューカバー５１の前端部がレール枠体２８ｂに設けた開口部５７に達する手前から、シューカバー５１に設けた板ばね部７７が摺動抵抗突部７１に当接される。この板ばね部７７の弾性変形に抗してシューカバー５１を更に押し込むことにより、摺動抵抗突部７１と板ばね部７７との間に好適な摩擦抵抗が発生し、適度な抵抗力を受けた状態でのスライド動作が可能となる。
【００５５】
次に、レール枠体２８ｂの端部にストッパ部材５４を取り付ける。これは、ストッパ部材５４の一対の固定部５４ｂ，５４ｃに設けた各位置決め孔８３ａ，８３ｂにレール枠体２８ｂに設けた一対の位置決めピンを係合させる。これと共に、一対の固定部５４ｂ，５４ｃに設けた各カシメ孔８４ａ，８４ｂにレール枠体２８ｂに設けた一対のカシメピンを係合させる。そして、ストッパ部材５４に設けた挟持爪８６をレール枠体２８ｂに設けた爪受け部８７に係合させる（図２８を参照）。その後、一対のカシメピンをカシメることにより、ストッパ部材５４がトップパネル２８に組み立てられる。
【００５６】
その後、シューカバー５１の前面部５１ａに化粧板５３を装着し、接着剤で一体的に固着する。これにより、トップパネル２８にシューカバー５１が組み立てられたシューカバー組立体５０が構成される。この際、接着剤に代えて、固定ねじを用いて化粧板５３をシューカバー５１に固定する構成としてもよい。図７、図９〜図１６は、トップパネル２８に装着されたシューカバー５１で開口部５７を閉じた状態（閉鎖位置）を示している。そして、図８、図１７〜図２４は、トップパネル２８に装着されたシューカバー５１で開口部５７を開いた状態（開放位置）を示している。なお、図１８に示す符号９５はマイク収納部を支持する第１フレームであり、符号９６はアクセサリーシュー５８を支持する第２フレームである。
【００５７】
図７、図９〜図１６に示すように、シューカバー組立体５０の開口部５７を閉じた閉鎖位置では、シューカバー５１の前端部がパネル本体２８ａの後端面に当接され、その前面部５１ａによって開口部５７が完全に閉じられている。このとき、図１６に示すように、シューカバー５１の前端部の一側に設けた第１フック部７４がレール枠体２８ｂの第１ガイドレール６１に係合されている。これと同時に、シューカバー５１の前端部の他側に設けた第２フック部７５がレール枠体２８ｂの第２ガイドレール６２に係合されている。そして、レール枠体２８ｂに設けた位置決め突起７２がシューカバー５１に設けたロック部８１の穴に嵌合されている。
【００５８】
これにより、シューカバー５１が、第１フック部７４と第２フック部７５とロック部８１とによって三点支持された状態となっている。そのため、第１フック部７４及び第２フック部７５の長さがシューカバー５１の全長の１／３程度しかないにも係わらず、トップパネル２８に対するシューカバー５１の平面方向におけるガタツキを最小限にすることができた。更に、シューカバー５１の板ばね部７７の後端部がレール枠体２８ｂの摺動抵抗突部７１の前端部に係合されているため、シューカバー５１がスライドする前後方向のガタを無くすことができる。
【００５９】
図８、図１７〜図２４は、トップパネル２８に装着されたシューカバー５１で開口部５７を開いた状態を示している。図７等に示す閉鎖位置から、シューカバー５１を後方へ所定量だけスライドさせることにより、シューカバー組立体５０の開口部５７を全開した開放状態となる。この場合、シューカバー５１の移動初期では、板ばね部７７が摺動抵抗突部７１に乗り上げるまでの抵抗力の増加によってクリック感がえられる。また、シューカバー５１の移動終期において板ばね部７７が摺動抵抗突部７１から下りることにより、シューカバー５１の移動終端部におけるクリック感を得ることができる。
【００６０】
また、シューカバー５１の幅方向の中間部には前後方向に延在された補強フック部７６が設けられており、この補強フック部７６にレール枠体２８ｂに設けた補助レール６６が摺動可能に係合されている。そのため、図２４において、例えば、シューカバー５１の第１フック部７４側に下方から上方へ向かう外力が付与された場合に、その外力を補強フック部７６で受けることができる。これにより、補強フック部７６の反力でシューカバー５１の両側部が曲げられるのを防止し、第１フック部７４が第１ガイド空間部６４から抜け出すのを防止することができる。
【００６１】
また、図２４において、例えば、シューカバー５１の中央部に上方から下方へ向かう外力が付与された場合にも、その外力を補強フック部７６で直接受けることができる。これにより、シューカバー５１の両側部が曲げられるのを補強フック部７６の反力で防止して、第１フック部７４が第１ガイド空間部６４から抜け出したり、第２フック部７５が第２ガイド空間部６５から抜け出したりするのを防止することができる。
【００６２】
なお、アクセサリーシュー５８は、トップパネル２８の裏面側から図示しない複数の固定ネジによってネジ止めされている。このアクセサリーシュー５８の取付け位置は、開口部５７に対応する位置である。図８及び図１３等に示すように、アクセサリーシュー５８は、デジタルビデオカメラ１側のコネクタであり、合成樹脂材料を用いて形成された内側部材９１と、鋼板を用いて形成された外側部材９２とを備えている。外側部材９２はコ字状に折り曲げ形成されており、その内側に内側部材９１が嵌合されていて、外側部材９２の複数の凹凸を有する係止部の下面と内側部材９１との間に空間部９３が設けられている。また、内側部材９１には電源用又は信号授受用の接片が複数設けられている。
【００６３】
以上説明したように、本発明の電子機器によれば、シューカバー５１をトップパネル２８に対してスライド可能に構成すると共に、位置決め突起７２とロック部８１によるガタ詰め機構と、補助レール６６と補強フック部７６による荷重受け機構を設ける構成とした。これにより、シューカバー５１の全閉状態におけるガタツキを抑制できると共に、シューカバー５１をスムースに開閉動作させることができる。しかも、シューカバー５１をハードカバーとすることにより、従来のエラストマー蓋に比べて品位を向上させることができる。
【００６４】
本発明によれば、省スペースであって、必要な部品点数が少ないシューカバーのための蓋体ガイド機構を提供することができる。しかも、新たな部品を使用することなく、前記ガタ詰め機構と荷重受け機構を構成することができ、ガタや剛性の点においても、従来の装置と同等若しくはそれ以上の性能を有する蓋体ガイド機構を提供することができる。
【００６５】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論である。更に、前述したような構造を備えた電子スチルカメラその他の撮像装置は勿論、本発明のように、開口部を蓋体で開閉する構造を備えた各種の電子機器、例えば、携帯電話、テレビジョン装置、ステレオ装置、ＤＶＤプレーヤ等の装置にも適用できるものである。
【００６６】
また、前記実施例においては、第１及び第２ガイドレール６１，６２に外向きの突条部６１ａ，６２ａを設ける一方、これに対応させて、第１及び第２フック部７４，７５に内向きの突条部７４ａ，７４ａを設けたが、これと反対の構成とすることができる。即ち、第１及び第２ガイドレールに内向きの突条部を設け、これに対応させて、第１及び第２フック部に外向きの突条部を設ける構成とすることもできる。また、シューカバー５１に位置決め突起７２を設け、レール枠体２８ｂにロック部８１を設ける構成とすることもできる。更に、シューカバー５１に摺動抵抗突部７１を設け、レール枠体２８ｂに板ばね部７７を設ける構成とすることもできる。
【図面の簡単な説明】
【００６７】
【図１】本発明の電子機器に係る撮像装置の第１の実施の例を示すビデオカメラを左斜め前方から見た斜視図である。
【図２】本発明の電子機器に係る撮像装置の第１の実施の例を示すビデオカメラの平面表示パネルを水平方向に開いた状態を左斜め後方から見た斜視図である。
【図３】本発明の電子機器に係る撮像装置の第１の実施の例を示すビデオカメラのシューカバーを移動させてアクセサリーシューを露出させた状態を右斜め前方から見た斜視図である。
【図４】本発明の電子機器に係る撮像装置の第１の実施の例を示すビデオカメラの平面図である。
【図５】図４に示す状態からシューカバーを移動させてアクセサリーシューを露出させたビデオカメラの平面図である。
【図６】図４に示す状態からシューカバーを移動させてアクセサリーシューを露出させたビデオカメラの右側面図である。
【図７】本発明の電子機器に係る撮像装置の第１の実施の例を示すビデオカメラのシューカバー組立体の斜視図である。
【図８】図７に示す状態からシューカバーを移動させてアクセサリーシューを露出させたシューカバー組立体の斜視図である。
【図９】図７に示すシューカバー組立体の平面図である。
【図１０】図７に示すシューカバー組立体の底面図である。
【図１１】図７に示すシューカバー組立体の左側面図である。
【図１２】図７に示すシューカバー組立体の右側面図である。
【図１３】図９のＳ−Ｓ線断面図である。
【図１４】図７に示すシューカバー組立体の正面図である。
【図１５】図７に示すシューカバー組立体の背面図である。
【図１６】図９のＴ−Ｔ線断面図である。
【図１７】図９に示す状態からシューカバーを移動させてアクセサリーシューを露出させたシューカバー組立体の平面図である。
【図１８】図１７に示すシューカバー組立体の底面図である。
【図１９】図１７に示すシューカバー組立体の左側面図である。
【図２０】図１７に示すシューカバー組立体の右側面図である。
【図２１】図１７のＵ−Ｕ線断面図である。
【図２２】図１７のＶ−Ｖ線断面図である。
【図２３】図１７のＷ−Ｗ線断面図である。
【図２４】図１７のＸ−Ｘ線断面図である。
【図２５】図１７に示すシューカバー組立体からシューカバーを取り除いたトップパネルの平面図である。
【図２６】図２５に示すトップパネルの右側面図である。
【図２７】図２５に示すトップパネルの左側面図である。
【図２８】図２５に示すトップパネルの背面図である。
【図２９】図１８のシューカバー組立体のシューカバーを示すもので、図２９Ａは平面図、図２９Ｂは底面図、図２９Ｃは図２９ＡのＹ−Ｙ線拡大断面図、図２９Ｄは図２９ＡのＺ−Ｚ線拡大断面図である。
【図３０】図１８のシューカバー組立体の化粧板を示すもので、図３０Ａは平面図、図３０Ｂは左側面図、図３０Ｃは正面図である。
【図３１】図１８のシューカバー組立体のストップ部材を示すもので、図３０Ａは平面図、図３０Ｂは左側面図、図３０Ｃは正面図、図３０Ｄは背面図、図３０Ｅは底面図、図３０Ｆは右側面図である。
【符号の説明】
【００６８】
１…デジタルビデオカメラ（撮像装置、電子機器）、  ２…外装ケース（筐体）、  ３…レンズ装置、  ４…表示装置、  ２８…トップパネル、  ２８ａ…パネル本体、  ２８ｂ…レール枠体、  ２８ｃ…閉鎖面部、  ５０…シューカバー組立体、  ５１…シューカバー、  ５２，５３…化粧板、  ５４…ストッパ部材（ストッパ部）、  ５７…開口部、  ５８…アクセサリーシュー（構造物）、  ６１，６２…ガイドレール、  ６１ａ，６２ａ…突条部、  ６３…側面壁（規制部）、  ６４…第１ガイド空間部、  ６５…第２ガイド空間部、  ６６…補助レール、  ６６ａ…補助突条、  ６８…補助ガイド空間部、  ７１…摺動抵抗突部、  ７２…位置決め突起、  ７４…第１フック部（レール受部）、  ７４ａ…第１突条部、  ７５…第２フック部（レール受部）、  ７５ａ…第２突条部、  ７６…補強フック部、  ７６ａ…補強突条部、  ７７…板ばね部、  ７８…補強リブ部、  ７９…支持リブ部、  ８１…ロック部
【図１】
2010156827.tif 000003
【図２】
2010156827.tif 000004
【図３】
2010156827.tif 000005
【図４】
2010156827.tif 000006
【図５】
2010156827.tif 000007
【図６】
2010156827.tif 000008
【図７】
2010156827.tif 000009
【図８】
2010156827.tif 000010
【図９】
2010156827.tif 000011
【図１０】
2010156827.tif 000012
【図１１】
2010156827.tif 000013
【図１２】
2010156827.tif 000014
【図１３】
2010156827.tif 000015
【図１４】
2010156827.tif 000016
【図１５】
2010156827.tif 000017
【図１６】
2010156827.tif 000018
【図１７】
2010156827.tif 000019
【図１８】
2010156827.tif 000020
【図１９】
2010156827.tif 000021
【図２０】
2010156827.tif 000022
【図２１】
2010156827.tif 000023
【図２２】
2010156827.tif 000024
【図２３】
2010156827.tif 000025
【図２４】
2010156827.tif 000026
【図２５】
2010156827.tif 000027
【図２６】
2010156827.tif 000028
【図２７】
2010156827.tif 000029
【図２８】
2010156827.tif 000030
【図２９】
2010156827.tif 000031
【図３０】
2010156827.tif 000032
【図３１】
2010156827.tif 000033